(57)【要約】【課題】  建物などの屋内外に配線される通信回線用の光ファイバケーブル（以下光ケーブルという）を分岐するための光ケーブル接続用クロージャで、光ケーブルの許容最小曲率を維持して光通信の特性を持つ心線収納ができ、光ケーブルの心線収納作業や接続作業の作業性を大幅に簡便化して、光通信用の端末機器と接続後のケーブル配置処理をも安全で容易に行うことを図る。【解決手段】  ケーブルの分岐、引込み、接続などを行うクロージャ内において、ドロップ光ケーブルｂの心線各端部が互いに接続される光ケーブル接続部７を保持する接続部ホルダ８と、ドロップ光ケーブル心線余長収納ポケット９とを複数備えた収納トレイ１０を光ケーブル収納ケース５内に、該収納トレイ１０の背面に空間ｃを置いて装備すると共に、前記ドロップ光ケーブル心線余長収納ポケット９に挿脱自在に心線余長収納のための収納シート１１を配備した。【選択図】  図１
2008224831.tif 000002
【特許請求の範囲】
【請求項１】
光ケーブルを導入する光ケーブル導入部と、該光ケーブル導入部から導入する光ケーブルを把持する光ケーブル把持部と、光ケーブルの心線余長を巻回して収納する心線余長収納部と、該心線余長収納部に連通して形成される心線接続部収納部とを備えた光ケーブル収納ケースにカバー体を設けた光ケーブル接続用クロージャであって、
ドロップ光ケーブルの心線各端部が互いに接続される光ケーブル接続部を保持する接続部ホルダと、ドロップ光ケーブル心線余長収納ポケットとを複数備えた収納トレイを光ケーブル収納ケース内に装備すると共に、前記ドロップ光ケーブル心線余長収納ポケットに挿脱自在にドロップ光ケーブル心線余長収納のための収納シートを配備したことを特徴とする光ケーブル接続用クロージャ。
【請求項２】
請求項１に記載の光ケーブル接続用クロージャにおいて、前記光ケーブル接続部を保持する接続部ホルダに隣設してドロップ光ケーブル心線余長収納ポケットを形成した収納トレイを光ケーブル収納ケース内に収納トレイの背面に空間を置いて装備し、前記接続部ホルダに保持する光ケーブル接続部の両側のドロップ光ケーブル心線余長を一括して巻回または弛ませて収納シートに収納することを特徴とする光ケーブル接続用クロージャ。
【請求項３】
請求項１に記載の光ケーブル接続用クロージャにおいて、前記光ケーブル接続部を保持する接続部ホルダの両側に心線余長収納ポケットを複数備えた収納トレイを光ケーブル収納ケース内に該収納トレイの背面に空間を置いて装備し、前記接続部ホルダに保持する光ケーブル接続部の両側のドロップ光ケーブル心線余長を分離してそれぞれ巻回または弛ませて収納シートに収納することを特徴とする光ケーブル接続用クロージャ。
【請求項４】
請求項２または請求項３に記載の光ケーブル接続用クロージャにおいて、主光ケーブル心線余長収納ポケットをドロップ光ケーブル心線余長収納ポケットに隣接して設け、主光ケーブル心線余長を収納トレイの背面に形成した空間に収納することを特徴とする光ケーブル接続用クロージャ。
【請求項５】
請求項４に記載の光ケーブル接続用クロージャにおいて、前記収納シートが開閉自在の二つ折りの透明乃至半透明のプラスチックシートからなり、開口端縁に折り曲げ舌片状の係止片を備えたことを特徴とする光ケーブル接続用クロージャ。
【請求項６】
請求項４または請求項５に記載の光ケーブル接続用クロージャにおいて、前記ドロップ光ケーブル心線余長収納ポケットにドロップ光ケーブル心線余長を誘導するガイドを備えたことを特徴とする光ケーブル接続用クロージャ。
【請求項７】
請求項４、請求項５または請求項６に記載の光ケーブル接続用クロージャにおいて、光ケーブル収納ケースの光ケーブルを導入する開口部にシール部材を介在して前記光ケーブル把持部に対向するように光ケーブル把持部のある把持具ベースを前記収納トレイに隣設したことを特徴とする光ケーブル接続用クロージャ。
【発明の詳細な説明】
【技術分野】
【０００１】
本発明は、事務所、工場、一般住宅の家屋、その他の建物などの屋内外に配線される通信回線用の光ファイバケーブル（以下光ケーブルという）を分岐するための光ケーブル接続用クロージャで、光ケーブル接続作業の作業性を大幅に簡便化して、光通信用の端末機器と接続後のケーブル配置処理をも安全で容易に行うことができる光ケーブル接続用クロージャに関するものである。
【背景技術】
【０００２】
一般に、光ケーブルの分岐、引き込み、接続などを行う場合、クロージャ内において光ケーブル心線相互を接続する共に、該接続部と光ケーブル心線の余長部分とを収納するための心線余長収納トレイを備えたクロージャが知られている。このクロージャでは、主光ケーブルから引き出された光ファイバ心線同士或いは分岐用光ケーブルから引き出された心線とを接続するコネクタなどの接続部が収納され、さらに接続された心線の余長部分を巻回して保護する心線余長収納部とを備えたものとして用いられている。（特開２００３−１７２８２７号）
【０００３】
特許文献１の光ケーブル接続用クロージャは、光ケーブルを導入する光ケーブル導入部と、該光ケーブル導入部から導入する光ケーブルを把持する光ケーブル把持部と、光ケーブルの心線余長を巻回して収納する心線余長収納部と、該心線余長収納部に連通して形成される心線接続部収納部とを備えた光ケーブル収納ケースに開閉自在にカバー体を設けたものが開示され、接続部の両側に心線余長収納部のある接続用トレイが設けられている。
【特許文献１】特開２００３−１７２８２７号公報
【発明の開示】
【発明が解決しようとする課題】
【０００４】
ところが、光ケーブルを用いた通信網では、光アクセス網の最適な配線形態とすることや接続配線の作業性の良いこと、更には光アクセスサービスを迅速かつ、安価に提供することが要請されているし、光通信端末機器の設置に際して、配線ケーブルは光通信の特性、特に光ファイバケーブルの信号伝送特性を十分に満足させることが配慮されなければならない。
しかし、従来でのオフィスや住居などの屋内外における光通信端末機器の配置は様々で、光コンセントからの接続一つをとってみても配線に不都合が生じ、光通信の特性を満足することができず、光通信損失があって端末処理に適合しないことが多く、光ファイバケーブルの許容最小曲率が維持できなく配線工事の作業も煩雑で、しかも端末機器の配置転換や保守修理など、移動や増設ごとその都度配線工事をすることが必要となって面倒であるばかりでなく、光信号損失がないように安全に利用することが維持できないし、ケーブルの配線上でも体裁も悪いなど問題があった。
【０００５】
本発明では、これら従来の欠点を排除しようとするもので、光アクセスサービスを迅速かつ、安価に提供できるし、光ケーブルの配線接続作業もすこぶる容易にし、光ケーブルの許容最小曲率を維持して光通信の特性をも十分満足でき、心線収納作業の作業性を大幅に向上し、配線工事での工数も少なくケーブル固定もでき、光通信端末機器類への接続配線取扱いも著しく簡便化でき、配線工事の適正化にも役立って、通信線接続不良が生じないように接続維持でき配線管理の安全性を高められ、組立作業での信頼性のある光ケーブル接続用クロージャを低コストで提供することを目的としている。
【課題を解決するための手段】
【０００６】
上述の課題を解決するために本発明は、光ケーブルを導入する光ケーブル導入部と、該光ケーブル導入部から導入する光ケーブルを把持する光ケーブル把持部と、光ケーブルの心線余長を巻回して収納する心線余長収納部と、該心線余長収納部に連通して形成される心線接続部収納部とを備えた光ケーブル収納ケースにカバー体を設けた光ケーブル接続用クロージャであって、ドロップ光ケーブルの心線各端部が互いに接続される光ケーブル接続部を保持する接続部ホルダとドロップ光ケーブル心線余長収納ポケットとを複数備えた収納トレイを、光ケーブル収納ケース内に該収納トレイの背面に空間を置いて装備すると共に、前記ドロップ光ケーブル心線余長収納ポケットに挿脱自在にドロップ光ケーブル心線余長収納のための収納シートを配備したものである。
【０００７】
この発明での光ケーブル接続用クロージャは、前記光ケーブル接続部を保持する接続部ホルダに隣設してドロップ光ケーブル心線余長収納ポケットを形成した収納トレイが、該収納トレイの背面に収納空間を置いて光ケーブル収納ケース内に装備され、前記接続部ホルダに保持する光ケーブル接続部の両側のドロップ光ケーブル心線余長を一括して巻回または弛ませて収納シートに挿入収納できるので、ドロップ光ケーブルの整理整頓が容易にでき、端末機器の配置転換や保守修理など、移動や増設ごとその都度配線工事をすることが必要となっても簡単に対応処理できる。
【０００８】
さらに、本発明での、光ケーブル接続用クロージャでは、前記光ケーブル接続部を保持する接続部ホルダの両側にドロップ光ケーブル心線余長収納ポケットを複数備えた収納トレイが光ケーブル収納ケース内に該収納トレイの背面に収納空間を置いて装備され、前記接続部ホルダに保持する光ケーブル接続部の両側にドロップ光ケーブル心線余長をそれぞれ分離して巻回または弛ませて収納シートに収納することできるので、接続トレイを必要としないで処理でき光通信端末機器類への接続配線取扱いも著しく簡便化でき、配線工事の適正化にも役立って処理できる。
【０００９】
この発明は、主光ケーブル心線余長収納ポケットをドロップ光ケーブル心線余長収納ポケットに隣接して設け、主光ケーブル心線余長を収納トレイの背面に形成した空間に収納することで、心線を輪どりして収納できるので、接続状況の点検、補修、調整、作業も楽にできる。
【００１０】
また、本発明では、収納シートが開閉自在の二つ折りの透明乃至半透明のプラスチックシートからなり、開口端縁に折り曲げ舌片状の係止片を備えたことと、ドロップ光ケーブル心線余長収納ポケットにドロップ光ケーブル心線余長を誘導するガイドを備えたことで、前記心線余長収納ポケットに挿入係止できる収納シートに心線余長が直接容易に差し込まれて整理したり、収納シートをポケットから引き出して開閉して心線余長の出し入れができるので、構成が簡単で、心線の取り出入れや収納シートの引出しなどの取り扱い操作にも面倒がなく処理できるし、光ケーブル収納ケースの光ケーブルを導入する開口部にシール部材を介在して前記光ケーブル把持部に対向するように光ケーブル把持部のある把持具ベースを前記収納トレイに隣設したことで、通信線接続不良が生じないようにコネクタ接続維持でき配線管理の安全性を高められ、組立作業での信頼性のある光ケーブル接続用クロージャとすることができる。
【発明の効果】
【００１１】
本発明は、光ケーブルを導入する光ケーブル導入部と、該光ケーブル導入部から導入する光ケーブルを把持する光ケーブル把持部と、光ケーブルの心線余長を巻回して収納する心線余長収納部と、該心線余長収納部に連通して形成される心線接続部収納部とを備えた光ケーブル収納ケースに開閉自在にカバー体を設けた光ケーブル接続用クロージャであって、ドロップ光ケーブルの心線各端部が互いに接続される光ケーブル接続部を保持する接続部ホルダとドロップ光ケーブル心線余長収納ポケットとを複数備えた収納トレイを光ケーブル収納ケース内に、該収納トレイの背面に空間を置いて装備すると共に、前記ドロップ光ケーブル心線余長収納ポケットに挿脱自在にドロップ光ケーブル心線余長収納のための収納シートを配備したことにより、光ケーブルの接続配線に不都合が生じることなく、光通信の特性を充分満足することができ、光通信損失がなくて端末処理に適合しやすく、光ファイバケーブルの許容最小曲率が維持も容易であって心線収納の作業性を良くして配線工事の作業も簡便化できると共に、しかも端末機器の配置転換や保守修理など、移動や増設ごとその都度配線工事をすることが必要となっても容易に対応でき、安全に利用することができる。
【００１２】
また、本発明では前記光ケーブル接続部を保持する接続部ホルダに隣設して心線余長収納ポケットを形成した収納トレイを収納トレイの背面に空間を置いて光ケーブル収納ケース内に装備し、前記接続部ホルダに保持する光ケーブル接続部の両側のドロップ光ケーブル心線余長を一括して巻回または弛ませて収納シートに収納すること或いは、前記光ケーブル接続部を保持する接続部ホルダの両側にドロップ光ケーブル心線余長収納ポケットを複数備えた収納トレイを収納トレイの背面に空間を置いて光ケーブル収納ケース内に装備し、前記接続部ホルダに保持する光ケーブル接続部の両側のドロップ光ケーブル心線余長を分離してそれぞれ巻回または弛ませて収納シートに収納することにより、構成をコンパクトで軽量にでき、光アクセスサービスを迅速かつ、安価に提供できるし、光ケーブルの配線接続作業もすこぶる容易にし、しかも収納シートをポケットから引き出して開閉して心線余長の出し入れができるので、光ケーブルの許容最小曲率を維持して心線収納ができ光通信の特性をも十分満足でき、配線工事での工数も少なくケーブル固定もでき、光通信端末機器類への接続配線取扱いも著しく簡便化でき、配線工事の適正化にも役立って、通信線接続不良が生じないようにコネクタ接続維持でき配線管理の安全性を高められ、組立作業での信頼性のある光ケーブル接続用クロージャを低コストで提供することができる。
【００１３】
さらに、本発明は、主光ケーブル心線余長収納ポケットをドロップ光ケーブル心線余長収納ポケットに隣接して設け、主光ケーブル心線余長を収納トレイの背面に形成した空間に収納する構成としたことにより、心線を輪どりして収納、取り出し或いは引出しできるので、接続状況の点検、補修、調整、作業も楽にできるし、光ケーブルの心線余長の収納が収まり良くでき心線の巻回収納にも余裕があり、しかも心線の保持も収納シートによって緩衝的に行われているので、心線に弛みが生じないし、光ファイバ心線に無理な屈曲や小円弧が発生することなく光損失をなくして伝送特性を良好に保つことができるほか、光通信を利用するときに簡単な操作でその端末を着脱自在に接続することができ、心線接続作業性を大幅に向上でき、取付け切替え配線工事も簡便で体裁良好で安全に行うことができる。
【００１４】
さらにまた、本発明の光ケーブル接続用クロージャでは、光ケーブル収納ケースの光ケーブルを導入する開口部にシール部材を介在して前記光ケーブル把持部に対向するように光ケーブル把持部のある把持具ベースを前記収納トレイに隣設したことで、通信線接続不良が生じないようにコネクタ接続維持でき配線管理の安全性を高められ、組立作業での信頼性のある光ケーブル接続用クロージャとすることができ、配線工事工数も少なく簡単な操作でケーブル固定が確実にできるし、光ケーブルの各端部が相互に接続されるコネクタが確実に接続維持でき、屋内外における光通信端末機器類への接続配線取扱いも著しく簡便化でき、配線工事の適正化にも役立つことができる。
【発明を実施するための最良の形態】
【００１５】
この発明に係る光ケーブル接続用クロージャの第１実施例を図１および図２の例を用いて説明すると、上流側および下流側の光ケーブルａを導入する光ケーブル導入部１が一対並設され、該光ケーブル導入部１から入る光ケーブルａを把持する光ケーブル把持部２と、光ケーブルａの心線余長を巻回して収納する心線余長収納部３と、該心線余長収納部３に連通して形成される心線接続部収納部４とを備えた光ケーブル収納ケース５にカバー体６を着脱自在或いは開閉自在設けた光ケーブル接続用クロージャであって、ドロップ光ケーブルｂの心線各端部が互いに接続される光ケーブル接続部７、例えばスプライス或いはコネクタ即ち光ケーブルａの末端に接続されるプラグ或いはレセプタクルを備えた通信線接続部のＳＣ型コネクタまたはＭＴ型コネクタを挿脱自在に連結しうるアダプタなどを保持する接続部ホルダ８と、ドロップ光ケーブル心線余長収納ポケット９とを複数備えた収納トレイ１０を光ケーブル収納ケース５内に、該収納トレイ１０の背面に空間ｃを置いて装備すると共に、前記ドロップ光ケーブル心線余長収納ポケット９に挿脱自在に心線余長収納のための収納シート１１を配備してある。
【００１６】
この場合、前記光ケーブル接続部７を保持する接続部ホルダ８に上下に隣設して心線余長収納ポケット９を形成した収納トレイ１０が、前記光ケーブル収納ケース５内に該収納トレイ１０の背面に空間ｃを置いて装備され、前記接続部ホルダ８に保持する光ケーブル接続部７の両側のドロップ光ケーブル心線余長を一括して巻回または弛ませて収納シート１１に収納するようにするのがよい。
なお、前記ドロップ光ケーブル心線余長収納ポケット９或いは収納トレイ１０には、前記収納シート１１を係止できる係止凹凸部を設けて、ドロップ光ケーブル心線余長収納ポケット９において収納シート１１のずれ込みや飛び出しがないように配慮するのもよい。
【００１７】
また、この光ケーブル接続用クロージャにおいて、光ケーブルａの心線余長がある場合に応じて、主光ケーブル心線余長収納ポケット１２をドロップ光ケーブル心線余長収納ポケット９に隣接して設け、主光ケーブル心線余長を輪取り或いは弛ませて収納トレイ１０の背面の空間ｃに仕切壁１３によって形成した空間ｄに収納する構成としてある。
【００１８】
さらに、前記ドロップ光ケーブル心線余長収納ポケット９に挿脱自在に配備される収納シート１１としては、折り曲げ線１１１で二つ折りとし開閉自在の透明乃至半透明のプラスチックシートからなり、両側縁に折り曲げ舌片状の係止片１１２によって袋状に構成し、開口端縁につまみ片１１３を備えて、ドロップ光ケーブル心線余長を巻回して輪取りしまたは略Ｕ字形に弛ませて収納或いは取り出しやすくしてあり、前記ドロップ光ケーブル心線余長収納ポケット９に挿脱する際に、前記つまみ片１１３を摘んでドロップ光ケーブル心線余長収納ポケット９から引き出しやすくしてあり、前記心線余長収納ポケット９に挿入係止できる収納シート１１に心線余長を直接容易に差し込んで整理したり、収納シート１１をポケット９から引き出して開閉して心線余長の出し入れができるので、光ケーブルの許容最小曲率を維持して心線収納ができ収納作業も迅速簡便にできる。
また、収納シート１１は、前記心線余長収納部３の空間ｃでは、ドロップ光ケーブル心線余長収納ポケット９に挿入した収納時には光ケーブル収納ケース５の底面にスライドして若干湾曲して収納され、係止片１１２を収納トレイ１０の上面に係止して支持すれば、空間を有効に活用してコンパクトに収納することができるし、収納シート１１をドロップ光ケーブル心線余長収納ポケット９に挿入収納したままでドロップ光ケーブル心線余長を輪取りして収納シート１１内に差し込み収納することもでき、その取扱も容易にできて作業性をも良好にできて便利である。
【００１９】
光ケーブル接続用クロージャにおいて、収納トレイ１０には突設した弾性リブによって接続部ホルダ８を形成して光ケーブル接続部７を嵌合保持するようにしてあるが、心線余長を引っかけて配線し易くするための心線押え片１４を適宜リブに設けて光ケーブルの浮きあがりや外れが防止され或いはドロップ光ケーブル心線余長収納ポケット９に誘導し易くすることが配慮されている。
また前記ドロップ光ケーブル心線余長収納ポケット９には、ドロップ光ケーブル心線余長を誘導するガイド１５を備え、前記収納シート１１の出し入れ操作をしやすくし、さらには収納シート１１のゆるやかな湾曲収納のために役立つようにしてある。
【００２０】
さらに、前記光ケーブル収納ケース５内には、光ケーブル収納ケースの光ケーブルを導入する開口部にシール部材１６例えば合成ゴムその他弾性部材からなるグロメットを介在して前記光ケーブル把持部２に対向するように光ケーブル把持部２のある把持具ベース１７を前記収納トレイ１０に隣設し、光ケーブルａおよびドロップ光ケーブルｂの配線管理の安全性を高められて組立作業での信頼性のある光ケーブル接続が可能となるし、光通信端末機器類への接続配線取扱いも著しく簡便化でき、配線工事の適正化にも役立って接続作業性をも大幅に向上することができる光ケーブル接続用クロージャとすることができる。
【００２１】
また、前記光ケーブル収納ケース５およびこれに配備される前記カバー体６は、プラスチック材の合成樹脂その他耐久性のある素材により形成したものであって、カバー体６がケース本体に着脱自在或いは開閉自在に備えられるが、例えば係脱自在に嵌着配備する嵌合構造或いはスライド構造によって着脱自在にしたり、ヒンジ部によつて開閉自在に連結する構成として、配線工事工数も少なく簡単な操作でケーブル固定が確実にできるようにするのがよい。
さらに、この光ケーブル収納ケース５は、壁面取付用のネジ止め孔およびスチールデスク、パネルなどの鉄材面に吸着する磁石或いは、壁面定着用の両面接着テープなどの接着部材を備え、屋内壁面またはデスクなどに取付けやすくすることもできる。この光ケーブル収納ケース５を建物壁面或いは架空に配置することで簡単な操作で接続配線工事を行うことができるし、前記光ケーブル収納ケース５にカバー６を被覆結合して接続手段が露出しないようにして保護し、体裁上見ばえのよい状態として用いることができるほか、保守或いはケーブル分離時に、接続手段の脱着が容易に行え配線の便宜を図ることができる。
【００２２】
以上の構成からなるケーブル収納ケース５において、光ケーブル導入部１から入る主光ケーブルの光ケーブルａは、ケーブル把持具２の係止部材で挟持された状態で光ケーブル導入部１に嵌挿され、外周に沿って配線され、主光ケーブルの心線余長は主光ケーブル心線余長収納ポケット１２から収納トレイ１０の背面にある空間ｄに輪取りしまたは略Ｕ字形に弛ませて収納する。下部延ばし（下流側心線引き延ばし）の場合、主光ケーブル心線余長収納ポケット１２から心線を取り出して中点において切断し、ドロップ光ケーブルｂにケーブル把持具２１を取り付けて把持ベース１７に固定し、切断した主ケーブルとドロップ光ケーブルｂの心線とをメカニカルスプライスの光ケーブル接続部７を使用することによって接続したのち、該光ケーブル接続部７を収納トレイ１０にある接続部ホルダ８に嵌合固定し、上流側および下流側の心線余長を接続部ホルダ８の下部側にあるドロップ光ケーブル心線余長収納ポケット１０に輪取りしまたは略Ｕ字形に弛ませて収納シート１１に収納する。なお、接続余長の取り出しにはドロップ光ケーブル心線余長収納ポケット１０に収納されている収納シート１１を引出して心線を取り出して接続処理作業をすればよく、前記ドロップ光ケーブルｂが端末機器の通信機器に接続されていれば接続端子のコネクタを差し込めば、信号伝送特性を十分満足する状態で接続される。
【００２３】
そして、心線がケーブル収納ケース本体４に擦れることが防ぎ得て、引張衝撃などをも確実に防止することができ、安全な配線ができるほか、光信号損失がなく配線接続作業を行うことができ、配線工事工数も少なく簡単な操作でケーブル固定が確実にでき、安全性を高め信頼性のある光ケーブル接続が可能となるし、光ケーブルの各端部が相互に接続されるコネクタが確実に接続維持でき、特に通信線接続不良が生じないように接続維持できて配線管理の安全性を高められ、組立作業の信頼性もあるし、光通信端末機器類への接続配線取扱いも著しく簡便化でき、配線工事の適正化にも役立って接続作業性をも大幅に向上することができる。
【００２４】
この実施例では、従来の光ファイバの曲げ半径の限界値に比べて曲げ半径を小さくできる。例えば、光ファイバとしてホーリー光ファイバがある。このホーリー光ファイバでは、コア周辺のクラッド部に空孔を存在させることで、クラッドの実効的な屈折率を下げて、コアとクラッド間の屈折率差を大きくすることにより、曲げによる放射損失の増加を抑える光ファイバであるが、ホーリー光ファイバは曲げや捻じりへの耐性が大きいため、従来の光ファイバでは成し得ない径で光ファイバを曲げることができることから、曲げ耐性光ファイバを用いた作業性の効果について、図１、図２の構造を用いることにより、より一層の作業性の効果を上げることができる。
【００２５】
本発明における光ケーブル接続用クロージャの第２実施例を図３に示したが、上流側および下流側の光ケーブルａを導入する光ケーブル導入部１が一対左右に並設され、該光ケーブル導入部１から入る光ケーブルａを把持する光ケーブル把持部２とを備え、ドロップ光ケーブルｂの心線各端部が互いに接続される光ケーブル接続部７、例えばスプライス或いはコネクタを保持する接続部ホルダ８の両側にドロップ光ケーブル心線余長収納ポケット９を複数備えた収納トレイ１０が、光ケーブル収納ケース５内に装備されると共に、前記ドロップ光ケーブル心線余長収納ポケット９に挿脱自在に心線余長収納のための収納シート１１を配備したもので、ドロップ光ケーブル心線余長をそれぞれ上流側と下流側とに分離して巻回または弛ませて収納シートに収納することできるので、心線の絡み合いがなく整然と処理でき屋内外における光通信端末機器類への接続配線取扱いも著しく簡便化でき、配線工事の適正化にも役立って処理できるものである。なお、図中同一符号は第１実施例と同一部分ならびに構成を示している。
【００２６】
この場合、前記光ケーブル接続部７を保持する接続部ホルダ８に左右に隣設して心線余長収納ポケット９を形成した収納トレイ１０が、前記光ケーブル収納ケース５内に該収納トレイ１０の背面に空間ｃを置いて装備され、前記接続部ホルダ８に保持する光ケーブル接続部７の上流側と下流側との両側のドロップ光ケーブル心線余長をそれぞれ分離して巻回または弛ませて収納シート１１に収納するようにするのがよい。
【図面の簡単な説明】
【００２７】
【図１】本発明の第１実施例を示す光ケーブル接続用クロージャを示し、（ａ）はカバー体を取り外して内部を表した正面図、（ｂ）はカバー体を取り付けた中央縦断面図、（ｃ）はその底面図斜視図である。
【図２】図１の例に用いられる収納シートを示し、（ａ）はその平面図、（ｂ）はその中央縦断面図である。
【図３】本発明の第２実施例を示す光ケーブル接続用クロージャを示し、（ａ）はカバー体を取り外して内部を表した正面図、（ｂ）はカバー体を取り付けた中央縦断面図である。
【符号の説明】
【００２８】
ａ      光ケーブル
ｂ      ドロップ光ケーブル
ｃ，ｄ  空間
１      ケーブル導入部
２      光ケーブル把持部
３      心線余長収納部
４      心線接続収納部
５      光ケーブル収納ケース
６      カバー
７      光ケーブル接続部
８      接続部ホルダ
９      ドロップ光ケーブル心線余長収納ポケット
１０      収納トレイ
１１      収納シート
１１１    折り曲げ線
１１２    係止片
１１３  つまみ片
１２      主光ケーブル心線余長収納ポケット
１３      仕切壁
１４      心線押え片
１５      ガイド
１６      シール部材
１７      把持具ベース
【図１】
2008224831.tif 000003
【図２】
2008224831.tif 000004
【図３】
2008224831.tif 000005